(57)【要約】【課題】  画像の編集を効率ようための編集用画面を提供すること。【解決手段】  ＣＰＵ１０４は、画像を表示して編集を行うための作業領域と、画像を退避してサムネイル表示するためのワークトレイ領域と、画像を編集するためのツールが配置されたツール表示領域とで構成される画像編集画面をモニタ１０５に表示して、使用者によって選択された複数の編集対象画像を作業領域に表示する。そして、使用者によってマウス１０１が操作され、作業領域に表示された編集対象画像がワークトレイ領域へ移動された場合には、編集対象画像を作業領域から消去してワークトレイ領域に当該編集対象画像のサムネイル画像を表示する。【選択図】      図１
2006287804.tif 000002
【特許請求の範囲】
【請求項１】
モニタに表示した画像編集画面内に、画像を表示して編集を行うための作業領域と、画像を退避してサムネイル表示するためのワークトレイ領域とを配置し、
使用者によって選択された複数の編集対象画像を前記作業領域に表示し、
使用者によって前記作業領域に表示された前記編集対象画像が前記ワークトレイ領域へ移動された場合には、前記作業領域から前記編集対象画像を消去して、前記ワークトレイ領域に当該編集対象画像のサムネイル画像を表示することを特徴とする画像編集方法。
【請求項２】
請求項１に記載の画像編集方法において、
前記ワークトレイ領域は、前記編集対象画像の編集状態に応じて前記サムネイル画像を分類して表示するための複数の領域を有し、
使用者によって前記作業領域に表示された前記編集画像が前記ワークトレイ領域へ移動された場合には、その編集対象画像の編集状態に応じて、前記ワークトレイ領域内の対応する領域に当該編集対象画像のサムネイル画像を表示することを特徴とする画像編集方法。
【請求項３】
請求項１または２に記載の画像編集方法において、
前記ワークトレイ領域は、その表示位置を前記画像編集画面内で任意に変更することができることを特徴とする画像編集方法。
【請求項４】
請求項１〜３のいずれか一項に記載の画像編集方法において、
前記作業領域に表示された前記編集対象画像は、その画像ファイル内に編集情報、画像データ、サムネイル画像データを含み、
使用者によって前記作業領域に表示された前記編集画像が前記ワークトレイ領域へ移動された場合には、前記画像ファイル内から画像データを削除して、前記ワークトレイ領域に当該編集対象画像のサムネイル画像を表示することを特徴とする画像編集方法。
【請求項５】
請求項１〜４に記載の画像編集方法を実行するための画像編集プログラム。
【請求項６】
使用者によって操作される入力手段と、
画像編集画面をモニタに表示し、前記画像編修画面内に、画像を表示して編集を行うための作業領域と、画像を退避してサムネイル表示するためのワークトレイ領域とを配置し、使用者によって前記入力手段を介して選択された複数の編集対象画像を前記作業領域に表示する画面表示手段と、
使用者によって前記入力手段が操作され、前記作業領域に表示された前記編集対象画像が前記ワークトレイ領域へ移動された場合には、前記作業領域から前記編集対象画像を消去して、前記ワークトレイ領域に当該編集対象画像のサムネイル画像を表示する表示制御手段とを備えることを特徴とする画像編集装置。
【請求項７】
請求項６に記載の画像編集装置において、
前記画面表示手段は、前記画像編集画面内に、前記作業領域と、前記ワークトレイ領域と、画像を編集するためのツールが配置されたツール表示領域とを配置することを特徴とする画像編集装置。
【発明の詳細な説明】
【技術分野】
【０００１】
本発明は、撮像した画像を編集する画像編集方法、画像編集プログラム、および画像編集装置に関する。
【背景技術】
【０００２】
次のような画像編集プログラムが非特許文献１によって知られている。この画像編集装置では、使用者が開いた複数の画像をフォトエリアにサムネイル表示し、使用者はサムネイル画像を選択することによって、編集対象の画像を指定する。
【０００３】
【非特許文献１】ＰｈｏｔｏｓｈｏｐＥｌｅｍｅｎｔｓ３．０  ユーザーマニュアルＰ．７〜８（２００４年９月  アドビシステムズ株式会社発行）
【発明の開示】
【発明が解決しようとする課題】
【０００４】
しかしながら、従来の画像編集プログラムにおいては、使用者が開いた画像を全てサムネイル表示するため、画像の編集状況によらず全ての画像がサムネイル表示されてしまい、使用者が画像の編集状況を把握しにくいという問題が生じていた。
【課題を解決するための手段】
【０００５】
請求項１に記載の画像編集方法は、モニタに表示した画像編集画面内に画像を表示して編集を行うための作業領域と、画像を退避してサムネイル表示するためのワークトレイ領域とを配置し、使用者によって選択された複数の編集対象画像を作業領域に表示し、使用者によって作業領域に表示された編集対象画像がワークトレイ領域へ移動された場合には、作業領域から編集対象画像を消去して、ワークトレイ領域に当該編集対象画像のサムネイル画像を表示することを特徴とする。
請求項２に記載の画像編集方法は、請求項１に記載の画像編集方法において、ワークトレイ領域は、編集対象画像の編集状態に応じてサムネイル画像を分類して表示するための複数の領域を有し、使用者によって作業領域に表示された編集画像がワークトレイ領域へ移動された場合には、その編集対象画像の編集状態に応じて、ワークトレイ領域内の対応する領域に当該編集対象画像のサムネイル画像を表示することを特徴とする。
請求項３に記載の画像編集方法は、請求項１または２に記載の画像編集方法において、ワークトレイ領域は、その表示位置を画像編集画面内で任意に変更することができることを特徴とする。
請求項４に記載の画像編集方法は、請求項１〜３のいずれか一項に記載の画像編集方法において、作業領域に表示された編集対象画像は、その画像ファイル内に編集情報、画像データ、サムネイル画像データを含み、使用者によって作業領域に表示された編集画像がワークトレイ領域へ移動された場合には、画像ファイル内から画像データを削除して、ワークトレイ領域に当該編集対象画像のサムネイル画像を表示することを特徴とする。
請求項５の発明は、請求項１〜４に記載の画像編集方法を実行するための画像編集プログラム。
請求項６に記載の画像編集装置は、使用者によって操作される入力手段と、画像編集画面をモニタに表示し、画像編修画面内に、画像を表示して編集を行うための作業領域と、画像を退避してサムネイル表示するためのワークトレイ領域とを配置し、使用者によって入力手段を介して選択された複数の編集対象画像を前記作業領域に表示する画面表示手段と、使用者によって入力手段が操作され、作業領域に表示された編集対象画像がワークトレイ領域へ移動された場合には、作業領域から編集対象画像を消去して、ワークトレイ領域に当該編集対象画像のサムネイル画像を表示する表示制御手段とを備えることを特徴とする。
請求項７に記載の画像編集装置は、請求項６に記載の画像編集装置において、画面表示手段は、画像編集画面内に、作業領域と、ワークトレイ領域と、画像を編集するためのツールが配置されたツール表示領域とを配置することを特徴とする。
【発明の効果】
【０００６】
本発明によれば、使用者は編集対象画像を任意にワークトレイ領域へ移動してサムネイル表示することができるため、画像の編集状況を把握しやすくなる。
【発明を実施するための最良の形態】
【０００７】
―第１の実施の形態―
図１は、第１の実施の形態における画像編集装置の一実施の形態の構成を示すブロック図である。画像編集装置１００は、例えばパソコンが用いられ、使用者によって操作されるマウス１０１と、後述する編集の対象となるデジタルカメラ等で撮像された画像データ、および画像編集プログラムを保存するＨＤＤ１０２と、画像編集プログラムを実行するための作業エリアとなるメモリ１０３と、画像編集プログラムを実行するＣＰＵ１０４と、ＨＤＤ１０２に格納された画像データ、および画像編集プログラムによって表示される各種データを表示するためのモニタ１０５と、メモリカードやＣＤ−ＲＯＭなどの記憶媒体を介して画像編集装置１００へ画像編集プログラムを提供する（インストールする）ための外部インターフェース１０６とを備えている。
【０００８】
ＣＰＵ１０４は、画像編集プログラムを実行し、使用者によるマウス１０１の操作内容に応じて、後述するようにモニタ１０２の表示を制御する。まず、使用者によって、画像編集プログラムの実行が指示されると、画像編集プログラムをＨＤＤ１０２からメモリ１０３へ読み込んで起動し、例えば図２に示すような画像編集画面２ａをモニタ１０２に表示する。この画像編集画面２ａ内には、編集対象の画像２ｃを表示する作業領域２ｂと、後述するように編集対象画像を退避してサムネイル画像を表示するワークトレイ２ｄ（ワークトレイ領域）と、画像編集用の各種ツールを配置したツール表示領域２ｅとが配置される。
【０００９】
使用者は、画像編集画面２ａ上で編集対象の画像を開くことによって、ＨＤＤ１０２から画像を読み込んで、作業領域２ｂ内の画像表示領域に編集対象画像を表示することができる。第１の実施の形態では、編集対象画像は複数枚を同時に開くことができ、例えば使用者によって２枚の画像が開かれた場合には、図３に示すように、作業領域２ｂ内に２枚の編集対象画像３ａおよび３ｂが表示される。そして、使用者は、この２枚の編集対象画像３ａおよび３ｂをマウスで操作して、作業領域２ｂ内での画像の表示位置を移動させることができ、また、ツール表示領域２ｅに配置されている各種ツールを操作して、画像を編集することができる。
【００１０】
使用者によって、マウス１０１が操作され、作業領域２ｂに表示されている編集対象画像のうち任意の画像、例えば編集対象画像３ａがワークトレイ２ｄ内にドラッグして移動されると、モニタ１０２の表示を制御して、図３（ｂ）に示すように編集対象画像３ａをワークトレイ２ｄ内に退避してサムネイル表示する。さらに、作業領域２ｂに残っている編集対象画像３ｂがワークトレイ２ｄ内にドラッグして移動されると、モニタ１０２の表示を制御して、図３（ｃ）に示すように、編集対象画像３ｂもワークトレイ２ｄ内に格納してサムネイル表示する。なお、ワークトレイ２ｄは、マウス１０１でドラッグすることによって画像編集画面２ａ内の任意の位置に移動することができる。
【００１１】
このようにワークトレイ２ｄ内に格納したサムネイル画像を、再度編集対象画像として作業領域２ｂに表示する場合には、使用者はマウス１０１を操作して、ワークトレイ２ｄ内のサムネイル画像をワークトレイ２ｄの外にドラッグする。例えば、使用者によって、編集対象画像３ａのサムネイル画像がワークトレイ２ｄの外にドラッグされた場合には、モニタ１０２の表示を制御して、図３（ｄ）に示すように、作業領域２ｂに編集対象画像３ａが表示し、ワークトレイ２ｄ内には編集対象画像３ｂのサムネイル画像のみが残る。
【００１２】
以上説明したように、複数の編集対象画像を作業領域２ｂに表示した後に、編集対象画像をワークトレイ２ｄに移動させてサムネイル表示させたり、ワークトレイ２ｄから作業領域２ｂに戻して表示させたりを自由に行えるようにした。これによって、使用者は、今は編集を行わない画像をワークトレイ２ｄに退避させて、編集を行う画像のみを作業領域２ｂに表示することができ、さらに編集が必要になった画像は、ワークトレイ２ｄから簡単に作業領域２ｂへ表示することができるため、編集作業を効率的に行うことができる。
【００１３】
なお、作業領域２ｂとワークトレイ２ｄ間の編集対象画像の移動は、ドラッグによる方法だけではなく、各画像をマウス１０１でダブルクリックすることによって行ってもよく、また、「作業領域へ移動」、および「ワークトレイへ移動」のようなメニュー項目を画像編集画面２ａ上に設け、マウス１０１でこれらの項目が指定された場合に、行ってもよい。
【００１４】
次に、ＨＤＤ１０２に格納されている画像ファイルのデータ形式、および画像編集プログラム上で取り扱う画像ファイルのデータ形式について説明する。図４は、ＨＤＤ１０２に格納されている画像ファイルのデータ形式を模式的に示した図である。このように、ＨＤＤ１０２に格納されている編集対象画像３ａおよび３ｂの画像ファイルは、画像が編集された場合の編集情報や撮像時の撮像条件などの各種パラメータ情報で構成される編集情報（Settings）４ａ、サムネイル表示用の画像データであるサムネイル（Thumbnails）４ｂ、および撮像時の画像データを全く画像処理していない状態の画像データ、例えばＲＡＷデータである生画像データ（ImageData）４ｃで構成されている。
【００１５】
そして、上述したように、編集対象画像３ａおよび３ｂが画像編集画面２ａ上で開かれることによって、この図4に示す画像ファイルが、ＨＤＤ１０２からメモリ１０３上、すなわち画像編集プログラムがメモリ１０３上に確保したメモリ空間（アプリケーションメモリ）上に読み込まれる。図５は、アプリケーションメモリ上に読み込まれた編集対象画像３ａおよび３ｂの画像ファイルのデータ形式を模式的に示した図である。
【００１６】
まず、編集対象画像３ａおよび３ｂが画像編集画面２ａ上で開かれ、作業領域２ｂに表示されている状態、すなわち上述した図３（ａ）に示す状態においては、アプリケーションメモリ上に読み込まれる各編集対象画像の画像ファイルは図５（ａ）に示すようになる。このように、編集対象画像が作業領域２ｂに表示されている場合には、各画像の画像ファイルは、図４で上述したＨＤＤ１０３に格納時の画像ファイルにおけるデータ形式に、作業領域２ｂに画像を表示するための表示用画像データ（ImageData for Display）５ａが追加される。
【００１７】
この表示用画像データ（ImageData for Display）５ａは、画像ファイルに含まれている生画像データ（ImageData）４ｃに対して、編集情報（Settings）４ａの各種パラメータをかけて生成した画像データであり、この表示用画像データ（ImageData for Display）５ａがモニタ１０５に出力されることによって、作業領域２ｂに各編集対象画像３ａおよび３ｂが表示されるようになる。
【００１８】
そして、作業領域２ｂに表示された編集対象画像３ａおよび３ｂのうち、編集対象画像３ａがワークトレイ２ｄ内にドラッグされた場合には、アプリケーションメモリ上の編集対象画像３ａの画像ファイルのデータ形式は、図５（ｂ）に示すように変化する。すなわち、ワークトレイ２ｄ内に編集対象画像３ａをサムネイル表示するに当たって不要となる生画像データ（ImageData）４ｃおよび表示用画像データ（ImageData for Display）５ａをアプリケーションメモリ上から削除する。これによって、アプリケーションメモリ上には、ワークトレイ２ｄ内に編集対象画像３ａをサムネイル表示するために必要な、編集情報（Settings）４ａ、およびサムネイル（Thumbnails）４ｂのみを残すこととなり、メモリ１０３の使用量を大幅に削減することができる。
【００１９】
また、作業領域２ｂに表示した編集対象画像３ｂが、ツール表示領域２ｅに配置されているツールを使用して編集された場合には、図５（ｂ）に示すように、アプリケーションメモリ上の編集情報（Settings）４ａが、その編集内容に基づいて更新され、編集結果を反映した編集情報（Settings）５ｂとなる。これによって、上述した編集対象画像３ａと同様に、ワークトレイ２ｄ内に編集対象画像３ｂがドラッグされ、ワークトレイ２ｄ内にサムネイル画像を表示する場合にも、編集結果を反映した編集情報（Settings）５ｂに基づいて、編集後の編集対象画像３ｂをサムネイル表示することができる。
【００２０】
また、編集対象画像３ｂがワークトレイ２ｄから作業領域２ｂにドラッグされた場合には、編集結果を反映した編集情報（Settings）５ｂに基づいて、編集後の編集対象画像３ｂを再度作業領域２ｂに表示する。このとき、ワークトレイ２ｄ内にあるサムネイル画像の画像ファイルにおいては、画像データ、すなわち生画像データ（ImageData）４ｃおよび表示用画像データ（ImageData for Display）５ａがアプリケーションメモリ上から削除されていることから、再度作業領域２ｂに表示する際には、当該画像の画像データをＨＤＤ１０２から読み込みなおして、データ形式を図５（ａ）に示すように戻す。
【００２１】
そして、さらに使用者によってマウス１０１が操作され、編集を行った編集対象画像３ｂの保存が指示された場合には、編集結果を反映した編集情報（Settings）５ｂで、図４に示したＨＤＤ１０２上の編集対象画像３ｂの画像ファイルにおける編集情報（Settings）４ａを更新する。これによって、最新の編集結果をＨＤＤ１０２上の画像ファイルに反映することができ、次回編集対象画像３ｂが開かれた場合には、編集後の編集対象画像３ｂを作業領域２ｂに表示することができる。
【００２２】
なお、第１の実施の形態では、編集対象画像３ｂのみが編集された例について説明したが、複数の画像、例えば編集対象画像３ａと３ｂの２枚の画像が編集された場合には、それぞれの画像を個別に保存することもでき、さらに編集された画像を一括して保存することもできる。
【００２３】
図６は、第１の実施の形態における画像編集装置１００の処理を示すフローチャートである。図６に示す処理は、使用者によってマウス１０１が操作され、画像編集プログラムの実行が指示されると、ＨＤＤ１０２からメモリ１０３へ読み込まれた画像編集プログラムがＣＰＵ１０４によって起動されることによって実行される。
【００２４】
ステップＳ１０において、モニタ１０５に図２に示した画像編集画面２ａを表示して、ステップＳ２０へ進む。ステップＳ２０では、使用者によってマウス１０１が操作され、編集対象画像を開く指示がされたか否かを判断する。使用者によって画像を開く指示がされたと判断した場合には、ステップＳ３０へ進む。ステップＳ３０では、ＨＤＤ１０２から指定された編集対象画像の画像ファイルをメモリ１０３、すなわち上述したアプリケーションメモリに読み込み、個々の画像ファイルに図５（ａ）に示した表示用の画像データ（ImageData for Display）５ａを追加して、ステップＳ４０へ進む。
【００２５】
ステップＳ４０では、画像ファイルに含まれる表示用の画像データ（ImageData for Display）５ａをモニタに出力して、画像編集画面２ａ内の作業領域２ｂに編集対象画像を表示する。このとき、使用者によって複数の編集対象画像が開かれていた場合には、その全てを表示する。その後、ステップＳ５０へ進む。
【００２６】
ステップＳ５０では、使用者によって作業領域２ｂに表示した編集対象画像のいずれかがドラッグされ、ワークトレイ２ｄに移動されたか否かを判断する。その結果、いずれの編集対象画像もワークトレイ２ｄに移動されていないと判断した場合には、ステップＳ７０へ進む。これに対して、使用者によっていずれかの編集対象画像がワークトレイ２ｄに移動されたと判断した場合には、ステップＳ６０へ進む。
【００２７】
ステップＳ６０では、図５（ｂ）に示したように、移動された編集対象画像の画像ファイルにおいて、ワークトレイ２ｄ内にサムネイル画像を表示するに当たって不要となる画像データ、すなわち生画像データ（ImageData）４ｃおよび表示用画像データ（ImageData for Display）５ａをアプリケーションメモリ上から削除する。そして、その画像のサムネイル（Thumbnails）４ｂをワークトレイ２ｄ内に出力して、サムネイル画像を表示する。その後、ステップＳ７０へ進む。
【００２８】
ステップＳ７０では、使用者によってワークトレイ２ｄに表示されたサムネイル画像のいずれかがドラッグされ、作業領域２ｂに移動されたか否かを判断する。その結果、いずれのサムネイル画像も作業領域２ｂに移動されていないと判断した場合には、ステップＳ９０へ進む。これに対して、使用者によっていずれかのサムネイル画像が作業領域２ｂに移動されたと判断した場合には、ステップＳ８０へ進む。
【００２９】
ステップＳ８０では、作業領域２ｂに移動された画像に対応する画像データをＨＤＤ１０２から読み込んで、アプリケーションメモリ上の画像ファイルに生画像データ（ImageData）４ｃおよび表示用画像データ（ImageData for Display）５ａを追加する。そして、その画像の表示用画像データ（ImageData for Display）５ａを出力して、作業領域２ｂに編集対象画像を表示する。その後、ステップＳ９０へ進む。
【００３０】
ステップＳ９０では、使用者によって、作業領域２ｂに表示したいずれかの編集対象画像が、ツール表示領域２ｅに配置されているツールを使用して編集されたか否かを判断する。いずれの編集対象画像も編集されていないと判断した場合には、ステップＳ１１０へ進む。これに対して、いずれかの編集対象画像が編集されたと判断した場合には、ステップＳ１００へ進む。ステップＳ１００では、上述したように、編集された編集対象画像に対して、アプリケーションメモリ上の編集情報（Settings）４ａをその編集内容に基づいて更新して、編集結果を反映した編集情報（Settings）５ｂとする。その後、ステップＳ１１０へ進む。
【００３１】
ステップＳ１１０では、使用者によって、編集を行った編集対象画像の保存が指示されたか否かを判断する。使用者によって保存が指示されないと判断した場合には、ステップＳ１３０へ進む。これに対して、使用者によって保存が指示されたと判断した場合には、ステップＳ１２０へ進む。ステップＳ１２０では、上述したように、編集結果を反映した編集情報（Settings）５ｂで、図４に示したＨＤＤ１０２上の編集対象画像の画像ファイルにおける編集情報（Settings）４ａを更新する。その後、ステップＳ１３０へ進む。
【００３２】
ステップＳ１３０では、使用者によって、画像編集画面２ａが閉じられるなど、画像編集プログラムの終了が指示されたか否かが判断される。使用者によって、画像編集プログラムの終了が指示されないと判断した場合には、ステップＳ２０へ戻って処理を続行する。これに対して、画像編集プログラムの終了が指示されたと判断した場合には、処理を終了する。
【００３３】
以上説明した第１の実施の形態によれば、以下のような作用効果を得ることができる。
（１）複数の編集対象画像を作業領域２ｂに表示した後に、編集対象画像をワークトレイ２ｄに移動させてサムネイル表示させたり、ワークトレイ２ｄから作業領域２ｂに戻して表示させたりを自由に行えるようにした。これによって、使用者は、今は編集を行わない画像をワークトレイ２ｄに退避させて、編集を行う画像のみを作業領域２ｂに表示することができ、さらに編集が必要になった画像は、ワークトレイ２ｄから簡単に作業領域２ｂへ表示することができるため、編集作業を効率的に行うことができる。
【００３４】
（２）編集対象画像がワークトレイ２ｄにドラッグされた場合には、その編集対象画像をサムネイル表示するに当たって不要となる生画像データ（ImageData）４ｃおよび表示用画像データ（ImageData for Display）５ａをアプリケーションメモリ上から削除するようにした。これによって、不要なデータをアプリケーションメモリから削除して、メモリ１０３の使用量を削減することができる。
【００３５】
（３）作業領域２ａに表示した各編集対象画像の位置、および画像編集画面２ａ内のワークトレイ２ｄの位置をマウスでドラッグして動かすことができるようにした。これによって、使用者は、編集作業がしやすいように自由に画面のレイアウトを変更することができ、利便性が向上する。
【００３６】
（４）使用者によって編集対象画像が編集された場合には、編集情報（Settings）４ａを更新して編集結果を反映した編集情報（Settings）５ｂとし、作業領域２ｂ内の編集対象画像やワークトレイ２ｄ内のサムネイル画像は、この編集結果を反映した編集情報（Settings）５ｂを参照して画像を表示するようにした。これによって、編集結果をすぐに編集対象画像やサムネイル画像に反映することができる。
【００３７】
―第２の実施の形態―
第２の実施の形態では、第１の実施の形態で上述したワークトレイ２ｄに表示するサムネイル画像を、画像の編集状態に応じてグループ分けして表示する。なお、図１に示した画像編集装置１００のブロック図、図２、３に示した画像編集画面２ａの具体例、および図４、５に示した画像ファイルのデータ形式を示す図については、第１の実施の形態と同様のため、説明を省略する。
【００３８】
第２の実施の形態においては、サムネイル画像を、その画像の編集状態ごとに分類して表示できるように、ワークトレイ２ｂを複数の領域に分割する。例えば、編集対象画像の編集状態を次の（１）〜（３）の３つの状態に分類し、図７に示すように、サムネイル画像をこれらの３つの編集状態ごとに分類して表示できるように、ワークトレイ２ｂを領域７ａ〜７ｃに分割する。
【００３９】
（１）未編集（Ｏｒｉｇｉｎａｌ）７ａ
「未編集」は、ＨＤＤ１０２から読み込んだ編集対象画像が全く編集されずにワークトレイ２ｄにドラッグされた状態である。
（２）編集中（Ｅｄｉｔｉｎｇ）７ａ
「編集中」は、ＨＤＤ１０２から読み込んだ編集対象画像が編集された後、第１の実施の形態で上述した保存操作がされないままワークトレイ２ｄにドラッグされた状態である。
（３）編集済（Ｆｉｎｉｓｈｅｄ）７ａ
「編集済」は、ＨＤＤ１０２から読み込んだ編集対象画像が編集され、保存操作がされた後にワークトレイ２ｄにドラッグされた状態である。
【００４０】
そして、作業領域２ｂに表示されている編集対象画像に対して、各画像の編集状態に応じて、その編集状態を編集情報（Settings）４ａに記憶しておき、編集対象画像がワークトレイ２ｄにドラッグされたときに、編集情報（Settings）４ａに記憶された編集状態を参照して、サムネイル画像をワークトレイ２ｄ内のどの領域に表示するか決定する。
【００４１】
この決定結果に基づいて、ワークトレイ２ｄ内の領域７ａ〜７ｃの中の対応する領域にサムネイル画像を表示することによって、ワークトレイ２d内に編集対象画像の編集状態に応じてサムネイル画像を分類して表示することができる。これによって、使用者は各画像の編集状態を一目で把握することができ、編集作業上の利便性が向上する。
【００４２】
図８は、第２の実施の形態における画像編集装置１００の処理を示すフローチャートである。図８に示す処理は、使用者によってマウス１０１が操作され、画像編集プログラムの実行が指示されると、ＨＤＤ１０２からメモリ１０３へ読み込まれた画像編集プログラムがＣＰＵ１０４によって起動されることによって実行される。なお、図８においては、図６に示す第１の実施の形態における処理と同一の処理内容については、同じステップ番号を付与し、相違点を中心に説明する。
【００４３】
ステップＳ５０において、使用者によって作業領域２ｂに表示された編集対象画像のいずれかがドラッグされ、ワークトレイ２ｄに移動されたと判断した場合には、ステップＳ５１へ進む。ステップＳ５１では、ドラッグされた編集対象画像の編集情報（Settings）４ａを参照して、当該画像の編集状態を判定する。そして、その編集状態に応じて、サムネイル画像をワークトレイ２ｄ内のどの領域に表示するか決定する。その後、ステップＳ６０へ進む。
【００４４】
ステップＳ６０では、第１の実施の形態で上述したように、図５（ｂ）に示したように、移動された編集対象画像の画像ファイル内に含まれる生画像データ（ImageData）４ｃおよび表示用画像データ（ImageData for Display）５ａをアプリケーションメモリ上から削除する。そして、その画像のサムネイル（Thumbnails）４ｂをワークトレイ２ｄ内の現在の編集状態に対応する領域に出力して、サムネイル画像を表示する。その後、ステップＳ７０へ進む。
【００４５】
以上説明した第２の実施の形態によれば、次のような作用効果を得ることができる。すなわち、作業領域２ｂに表示されている編集対象画像に対して、各画像の編集状態に応じてその編集状態を編集情報（Settings）４ａに記憶しておき、編集対象画像がワークトレイ２ｄにドラッグされたときに、編集情報（Settings）４ａに記憶された編集状態を参照して、サムネイル画像をワークトレイ２ｄ内のどの領域に表示するか決定して表示するようにした。これによって、使用者は各画像の編集状態を一目で把握することができ、編集作業上の利便性が向上する。
【００４６】
―変形例―
なお、上述した実施の形態の画像編集装置は、以下のように変形することもできる。
（１）上述した第１および第２の実施の形態では、外部インターフェース１０６は、画像編集プログラムを記憶したメモリカードやＣＤ−ＲＯＭなどの記憶媒体を挿入するためのメモリカードスロット、またはドライブである例について説明した。しかしこれに限定されず、外部インターフェース１０６は、携帯電話などを有線で接続してネットワーク経由で画像編集プログラムをダウンロードするための有線通信用インターフェースでもよく、または無線ＬＡＮやインターネットなどを介して無線通信経由で画像編集プログラムをダウンロードするための無線通信用インターフェースでもよい。
【００４７】
（２）上述した第１および第２の実施の形態では、作業領域２ｂに表示した編集対象画像を各画像ごとに個別に編集する例について説明した。しかしこれに限定されず、作業領域２ｂにで任意の１枚の画像に対して編集を行い、その画像の編集情報（Settings）４ａを作業領域２ｂに表示されている他の編集対象画像、および／またはワークトレイ２ｄにサムネイル表示されている画像の編集情報（Settings）４ａにコピーして、同じ編集内容を他の画像にも適用できるようにしてもよい。
【００４８】
（３）上述した第１および第２の実施の形態では、作業領域２ｂに表示した編集対象画像に対して、ツール表示領域２ｅに配置されているツールを使用して編集を行う例について説明した。しかしこれに限定されず、ワークトレイ２ｄに表示したサムネイル画像に対してもツール表示領域２ｅに配置されているツールを使用して編集を行えるようにしてもよい。
【００４９】
（４）上述した第２の実施の形態では、編集対象画像の編集状態を「未編集」、「編集中」、および「編集済」の３つの状態に分類する例について説明したが、これに限定されず、その他の編集状態も含めて分類するようにしてもよい。
【００５０】
（５）上述した第２の実施の形態では、各画像の編集状態を編集情報（Settings）４ａに記憶して、各画像の編集状態をメモリ１０３内に保持する例について説明した。しかしこれに限定されず、例えば画像ファイルと編集状態とを対応付けた管理データベースをメモリ１０３内に作成するなど、その他の方法によって各画像の編集状態をメモリ１０３内に保持するようにしてもよい。
【００５１】
なお、本発明の特徴的な機能を損なわない限り、本発明は、上述した実施の形態における構成に何ら限定されない。また、以上の説明はあくまでも一例であり、発明を解釈する際、上記の実施形態の記載事項と特許請求の範囲の記載事項の対応関係に何ら限定も拘束もされない。
【図面の簡単な説明】
【００５２】
【図１】画像編集装置の一実施の形態の構成を示すブロック図である。
【図２】画像編集画面２ａの具体例を示す図である。
【図３】作業領域とワークトレイとの間で画像を移動する場合の具体例を示す図である。
【図４】ＨＤＤ１０２に格納されている画像ファイルのデータ形式を模式的に示した図である。
【図５】アプリケーションメモリ上に読み込まれた編集対象画像の画像ファイルのデータ形式を模式的に示した図である。
【図６】第１の実施の形態における画像編集装置１００の処理を示すフローチャート図である。
【図７】第２の実施の形態においてワークトレイを領域分割した場合の具体例を示す図である。
【図８】第２の実施の形態における画像編集装置１００の処理を示すフローチャート図である。
【符号の説明】
【００５３】
１００  画像編集装置
１０１  マウス
１０４  ＣＰＵ
１０５  モニタ
【図１】
2006287804.tif 000003
【図２】
2006287804.tif 000004
【図３】
2006287804.tif 000005
【図４】
2006287804.tif 000006
【図５】
2006287804.tif 000007
【図６】
2006287804.tif 000008
【図７】
2006287804.tif 000009
【図８】
2006287804.tif 000010